(57)【特許請求の範囲】
【請求項１】
中間で枢支された一対の挟持部材の夫々の一側に回転体を取付けた挟み部が、弾性力により前記一側を相互に接近せしめる方向に付勢され、前記一側にて対象物を挟持する物干し挟みにおいて、
前記回転体は、前記挟持部材に枢支される基体と、該基体の周面に突設され、該基体から突出した基部及び該基部と所定角度を有して周方向に延びる挟持弾圧片を有する複数の羽根部とを備え、前記挟持弾圧片にて前記対象物を挟持すべくなしてあることを特徴とする物干し挟み。
【請求項２】
前記各羽根部は、隣合う羽根部の挟持弾圧片が、前記基体側に１２０°±１０°をなしてある請求項１記載の物干し挟み。
【請求項３】
前記各挟持弾圧片は、その外周面の先端側を外方向に反らせてある請求項１記載の物干し挟み。
【請求項４】
前記挟持部材の夫々に枢支された回転体は、回転位相を異ならせて前記挟持弾圧片を対向せしめてある請求項３記載の物干し挟み。
【請求項５】
前記各挟持弾圧片は、隣合う挟持弾圧片の前記基部側の延長線を超えて延設してある請求項１乃至請求項４のいずれかに記載の物干し挟み。
【請求項６】
一端が前記挟み部に係止され、他端に前記挟み部が挿通可能な寸法のループ部を有する吊り部を備える請求項１乃至請求項５のいずれかに記載の物干し挟み。
【請求項７】
前記一対の挟持部材の夫々は挿入片及び受け片を備え、一方の挟持部材の挿入片を他方の挟持部材の受け片に挿入せしめて枢支してあり、該挿入片の少なくとも前記回転体側又はその反対側の何れかに止め部を設けてあり、一方の挟持部材の止め部が他方の挟持部材の受け片に当接することにより、一対の挟持部材の枢支部分の前記回転体に向かう方向の相対移動を止めるべくなしてある請求項１乃至請求項６のいずれかに記載の物干し挟み。
【請求項８】
前記一対の挟持部材の夫々は挿入片及び受け片を備え、一方の挟持部材の挿入片を他方の挟持部材の受け片に挿入せしめて枢支してあり、該受け片の少なくとも前記回転体側又はその反対側の何れかに止め部を設けてあり、一方の挟持部材の止め部が他方の挟持部材の挿入片に当接することにより、一対の挟持部材の枢支部分の前記回転体に向かう方向の相対移動を止めるべくなしてある請求項１乃至請求項６のいずれかに記載の物干し挟み。
【請求項９】
中間で枢支された一対の挟持部材の夫々の一側に回転体を取付けた挟み部が、弾性力により前記一側を相互に接近せしめる方向に付勢され、前記一側にて対象物を挟持する物干し挟みの複数を、吊り部を備える枠体に取付けた物干し具において、
前記物干し挟みの各回転体は、前記挟持部材に枢支される基体と、該基体の周面に突設され、該基体から突出した基部及び該基部と所定角度を有して周方向に延びる挟持弾圧片を有する複数の羽根部とを備え、前記挟持弾圧片にて前記対象物を挟持すべくなしてあることを特徴とする物干し具。
【発明の詳細な説明】
【０００１】
【発明の属する技術分野】
本発明は、主として洗濯物を挟む物干し挟み及びそれを用いた物干し具に関する。
【０００２】
【従来の技術】
一般に、物干し挟みは一対の挟持部材の中間が枢支され、一側に押圧部を他側につまみ部を有して、バネの弾性力により押圧部が接近する方向に付勢された構造を有している。洗濯後の衣類等を干す際には、つまみ部を接近させることにより押圧部を開き、該押圧部に洗濯物の一部を挟んで固定する。洗濯物が乾燥した後に、再度つまみ部をつまんで押圧部を開き、洗濯物を取り外す。
【０００３】
【発明が解決しようとする課題】
このような作業は洗濯の都度行なわれ、特に乾燥後の洗濯物を物干し挟みから外す作業が煩わしかった。これを解決するために、従来、種々の物干し挟みが提案されている。例えば、押圧部に回転体を設けた物干し挟みがある。回転体には円板状若しくは球状を有したもの、又は断面視で三角形若しくは四角形を有したものがあり、押圧部にて固定された洗濯物を手で引っ張ることにより回転体を回転せしめ、指でつまみ部を操作することなく洗濯物を外すことを目的としたものである。
【０００４】
図２２，図２３及び図２４は、従来のこのタイプの物干し挟みの構成を示す正面図である。各図に示すように、一対の挟持部材４２，４２が中間で枢支されており、バネ４４の弾性力により押圧部４５が接近する方向に付勢されている。押圧部４５には回転体４３が取付けられており、回転体４３，４３にて洗濯物を挟持するようになっている。図２２は円板状又は球状を有する回転体４３を、図２３は断面視で四角形を有する回転体４３を、図２４は断面視で三角形を有する回転体４３を備える場合を示している。このような物干し挟みを使用する際には、回転体４３，４３間に洗濯物を挟んで固定し、乾いた後の洗濯物を引っ張ることにより回転体４３を回転せしめ、物干し挟みから洗濯物を取り外す。
【０００５】
しかしながら、従来のこのタイプの物干し挟み、特に回転体４３が断面視で三角形又は四角形を有するものにあっては、回転体４３が有する内角が９０°以下であるために、洗濯物が強固に挟持されている場合には回転体４３の回転は著しく困難であり、洗濯物を必要以上に強く引っ張らなければ外すことができない。このとき、回転体４３が回転せずに洗濯物を無理矢理引き離す状態となり、スムーズな取込み作業が行なえない。また洗濯物に損傷を来したり、回転体４３自身が損傷したりする問題があった。
【０００６】
また、回転体４３が円板状若しくは球状を有するものにあっては、濡れて重量が増した洗濯物を挟持した場合に、回転体４３がその重さにより回転する。これにより、洗濯物が乾燥途中で物干し挟みから脱落するという問題があった。さらに、断面視が三角形若しくは四角形の回転体４３を備え、その回転がスムーズに行える程度に押圧部４５の挟持力を弱めたものにあっては、濡れて重量が増した洗濯物を挟持した場合に、押圧部の挟持力不足により洗濯物が乾燥途中に物干し挟みから脱落する虞があるという問題があった。
【０００７】
本発明は、かかる事情に鑑みてなされたものであり、挟持対象物を確実に挟持でき、且つ取込み作業の際の挟持対象物の取込みを簡便にそしてスムーズに行い得る回転体を備える物干し挟み及び物干し具を提供することを目的とする。
【０００８】
【課題を解決するための手段】
第１発明に係る物干し挟みは、中間で枢支された一対の挟持部材の夫々の一側に回転体を取付けた挟み部が、弾性力により前記一側を相互に接近せしめる方向に付勢され、前記一側にて対象物を挟持する物干し挟みにおいて、前記回転体は、前記挟持部材に枢支される基体と、該基体の周面に突設され、該基体から突出した基部及び該基部と所定角度を有して周方向に延びる挟持弾圧片を有する複数の羽根部とを備え、前記挟持弾圧片にて前記対象物を挟持すべくなしてあることを特徴とする。
【０００９】
第１発明にあっては、対象物を挟持した際に、２つの回転体の回転に伴って挟持弾圧片がその弾性力により回転体の基体側に撓む。これにより、挟持弾圧片が断面視で略円弧状に変形するので、挟持部材に強い挟持力を付与した場合でも回転体がスムーズに回転する。
【００１０】
第２発明に係る物干し挟みは、第１発明において、前記各羽根部は、隣合う羽根部の挟持弾圧片が、前記基体側に１２０°±１０°をなしてあることを特徴とする。
第２発明にあっては、回転体が６つの羽根部を有する場合に、隣合う挟持弾圧片は略１２０°を形成し、挟持弾圧片が鈍角をなしていることにより、回転体の回転がさらにスムーズに行われる。
【００１１】
第３発明に係る物干し挟みは、第１発明において、前記各挟持弾圧片は、その外周面の先端側を外方向に反らせてあることを特徴とする。
第３発明にあっては、対象物を挟持する挟持弾圧片の外周面の先端が、回転体の対向側に夫々反っているので、対象物をさらに強固に挟持することができる。
【００１２】
第４発明に係る物干し挟みは、第３発明において、前記挟持部材の夫々に枢支された回転体は、回転位相を異ならせて前記挟持弾圧片を対向せしめてあることを特徴とする。
第４発明にあっては、回転体の回転位相が異なるので挟持弾圧片の先端同士がズレて押圧し合う。これにより、対向側に反らせた挟持弾圧片の先端が位置をずらせて対象物を挟持するので、さらに強固に挟持できる。また、対象物を挟持している挟持弾圧片の下段の挟持弾圧片が、先端を噛み合わせた態様で対象物を支持するので、対象物をさらに強固に固定する（図１２参照）。
【００１３】
第５発明に係る物干し挟みは、第１発明乃至第４発明のいずれかにおいて、前記各挟持弾圧片は、隣合う挟持弾圧片の前記基部側の延長線を超えて延設してあることを特徴とする。
第５発明にあっては、対象物を挟持している挟持弾圧片の下段の挟持弾圧片が、延設された先端で対象物を押圧するので、対象物をさらに強固に固定でき、不本意な脱落を防止する（図１２参照）。
【００１４】
また本発明にあっては、挟持弾圧片が対象物を送り出す状態を図示した図１３に示すように、対象物である洗濯物６を挟持している弾圧片３３ｂ，３３ｂが回転体３，３の回転により洗濯物６を離す直前に、上段の弾圧片３３ｂU ，３３ｂU が洗濯物６を挟持する。このとき、弾圧片３３ｂ，３３ｂは略円弧状に変形してその回転をスムーズにし、また弾圧片３３ｂU ，３３ｂU は、回転体３，３の軸中心を結ぶ中心線よりも上側にて洗濯物６を挟持して、回転体３に回転を阻止する方向の力を付与する。その後、洗濯物６にさらなる引っ張り力が加わった場合には、弾圧片３３ｂ，３３ｂが位相を異ならせて、その先端で洗濯物６を挟持する。即ち、一方の弾圧片３３ｂの先端が他方の回転体３の噛み込み空間３４を押圧して洗濯物６を強固に保持する。
【００１５】
このように上段の挟持弾圧片が中心線よりも上側で対象物を挟持することは、第２発明の挟持弾圧片が鈍角を形成すること、第３発明の挟持弾圧片の先端が回転体の対向側に反っていること、及び第５発明の挟持弾圧片の先端が隣合う挟持弾圧片の基部側の延長線を超えて延設してあることのうち少なくとも１つを備えることにより実現される。また、第４発明の回転体が回転位相を異ならせていることにより、回転体の中心線よりも下側にて対象物の下方向への移動の阻止を実現する。このように、回転体の回転に伴って挟持弾圧片が順次、回転のための変形と対象物の挟持とを繰り返すので、回転体の回転量に応じて挟持対象物を送り出すことができ、回転体の不意の回転により挟持対象物が脱落することがない。
【００１６】
第６発明に係る物干し挟みは、第１乃至第５発明のいずれかにおいて、一端が前記挟み部に係止され、他端に前記挟み部が挿通可能な寸法のループ部を有する吊り部を備えることを特徴とする。
第６発明にあっては、挟み部を前記ループ部に挿通させることにより、物干し挟みを物干し竿のような掛止対象箇所に簡便に掛止することができる。
【００１７】
第７発明に係る物干し挟みは、第１乃至第６発明のいずれかにおいて、前記一対の挟持部材の夫々は挿入片及び受け片を備え、一方の挟持部材の挿入片を他方の挟持部材の受け片に挿入せしめて枢支してあり、該挿入片の少なくとも前記回転体側又はその反対側の何れかに止め部を設けてあり、一方の挟持部材の止め部が他方の挟持部材の受け片に当接することにより、一対の挟持部材の枢支部分の前記回転体に向かう方向の相対移動を止めるべくなしてあることを特徴とする。
【００１８】
また、第８発明に係る物干し挟みは、第１乃至第６発明のいずれかにおいて、前記一対の挟持部材の夫々は挿入片及び受け片を備え、一方の挟持部材の挿入片を他方の挟持部材の受け片に挿入せしめて枢支してあり、該受け片の少なくとも前記回転体側又はその反対側の何れかに止め部を設けてあり、一方の挟持部材の止め部が他方の挟持部材の挿入片に当接することにより、一対の挟持部材の枢支部分の前記回転体に向かう方向の相対移動を止めるべくなしてあることを特徴とする。
【００１９】
第７発明又は第８発明にあっては、挿入片と受け片とが結合した枢支位置の回転体側及び／又は枢支位置を挟んで反対側に止め部を設けることにより、枢支された挿入片及び受け片の回転体に向かう方向の相対移動、即ち枢支ずれを阻止できる。例えば突起片状の止め部を、挿入片の回転体側又はつまみ部側のいずれかに設けてあっても良いし、両側に設けてあっても良い。または、受け片の回転体側又はつまみ部側のいずれかに設けてあっても良いし、両側に設けてあっても良い。
【００２０】
第９発明に係る物干し具は、中間で枢支された一対の挟持部材の夫々の一側に回転体を取付けた挟み部が、弾性力により前記一側を相互に接近せしめる方向に付勢され、前記一側にて対象物を挟持する物干し挟みの複数を、吊り部を備える枠体に取付けた物干し具において、前記物干し挟みの各回転体は、前記挟持部材に枢支される基体と、該基体の周面に突設され、該基体から突出した基部及び該基部と所定角度を有して周方向に延びる挟持弾圧片を有する複数の羽根部とを備え、前記挟持弾圧片にて前記対象物を挟持すべくなしてあることを特徴とする。
【００２１】
第９発明にあっては、対象物を確実に挟持でき、且つ取り外す際には回転体がスムーズに回転可能な物干し挟みの複数を枠体に取付けてあるので、一定領域内に多量の対象物を挟持でき、挟持された対象物を短時間で簡便に取り外すことができる。
【００２２】
【発明の実施の形態】
以下、本発明をその実施の形態を示す図面に基づき具体的に説明する。
図１は本発明に係る物干し挟みの構成を示す斜視図、図２はその正面図であり、図３は物干し挟みが備える回転体の構成を示す斜視図、図４はその正面図、図５はその側面図である。また図６は、物干し挟みが備える挟持部材の構成を示す斜視図、図７は挟持部材に回転体を取付けた状態を示す斜視図である。本実施の形態の物干し挟みは、洗濯物の一部を挟んで固定する挟み部１とこれを懸吊する吊り部５とを備えて構成されており、挟み部１は中間にて枢支される縦長の一対の挟持部材２，２と、該挟持部材２，２夫々の一端側に枢支された回転体３，３と、前記挟持部材２，２の回転体３を設けた側を接近せしめる向きに付勢する金属製のＣ型バネ４とを備え、Ｃ型バネ４を除いていずれも合成樹脂製である。
【００２３】
図１，図２及び図６に示すように、対向せしめる挟持部材２，２は、回転体３を取付ける一端側では、夫々外側に向けて開口した箱形状の押圧部２２ｃを、他端側では夫々内側に向けて開口した箱形状のつまみ部２３ａを有し、その間には押圧部２２ｃ及びつまみ部２３ａの共通面であり連結面である連結部２３ｃを有し、押圧部２２ｃの端部には正面及び背面側で回転体３を支持する軸支部２１，２１を延設せしめて一体成形されている。軸支部２１，２１の対向面には回転体３を軸支する軸２１ａ，２１ａが突設されている。
【００２４】
押圧部２２ｃの箱底裏面には連結部２３ｃ寄りに、第１及び第２の合わせ部２２ａ，２２ｂが前後方向に並設されている。第１の合わせ部２２ａは、前後方向に所定長離隔して平行に立設された略半円形状の１対の受け片であり、第２の合わせ部２２ｂは、前記第１の合わせ部２２ａの間隙に挿入可能な寸法の略半円形状の挿入片である。２つの挟持部材２，２が、第１及び第２の合わせ部２２ａ，２２ｂ同士を対向せしめ、受け片に挿入片を嵌入して枢支するようになっている。バネ受け凹部２２ｄが、押圧部２２ｃの箱内底の軸支部２１寄りに設けられている。また、挟持部材２の前後方向略中央部分には、挟持部材２の長さ方向に沿って長い長円形状の空間部２３ｂがつまみ部２３ａ，連結部２３ｃ及び押圧部２２ｃに跨がって設けられている。
【００２５】
各回転体３は、図３，図４及び図５に示すように、正面視で６枚羽根の卍形状を有して一体成形されており、正面から背面までの厚みは、挟持部材２の軸支部２１，２１間長さに対応している。回転体３は、正面視で略Ｌ字状を有する羽根部３３を、略円柱形状を有する基体３２の外周に放射状に突出させており、本実施の形態では６つの羽根部３３，３３…が周方向に等間隔で設けられている。羽根部３３は、基体３２側の基部３３ａと、該基部３３ａに所定の角度を有して周方向に延びる弾圧片３３ｂとを備えている。隣合う弾圧片３３ｂ，３３ｂは基体３２側で略１２０°を形成しており、弾圧片３３ｂはその外周面たる挟持面３３ｃが、先端部３３ｄ側を所定角度だけ外方向に反らせている。また弾圧片３３ｂは、先端部３３ｄに近い隣側の羽根部３３が有する挟持面３３ｃの延長線よりも、先端が外側に突出する程度の長さを有している。弾圧片３３ｂと前記隣の羽根部３３の基部３３ａとの間には噛み込み空間３４が形成されている。
【００２６】
回転体３の基体３２の中央には厚み方向に貫通する軸受け孔３１が設けられており、軸受け孔３１は挟持部材２の軸２１ａに対応する径寸法を有している。基体３２は軸受け孔３１の周囲を正面及び背面に僅かに突出させており、この外周側の一部には嵌着案内部３５が基体３２の正面及び背面にて対応する位置に設けられている。嵌着案内部３５には全幅よりも狭い幅のテーパが形成されており、該テーパは内径側が基体３２の突出面に、外径側が羽根部３３の正面又は背面に連続する態様で設けられている。
【００２７】
以上の如き構成の回転体３は、図７に示すように、軸２１ａにて軸受け孔３１が遊嵌される態様にて挟持部材２に取付けられる。回転体３を挟持部材２に取付ける際には、嵌着案内部３５を軸２１ａに当接せしめ、テーパに沿って軸２１ａを滑らせて押し嵌めする。このとき回転体３は、羽根部３３の先端部３３ｄが挟持部材２，２の対向中心側で合わせ部２２ａ，２２ｂに臨む向きで軸支される。
【００２８】
図８は、吊り部５の構成を示す斜視図であり、図９はＣ型バネ４の構成を示す正面図であり、図１０は吊り部５にＣ型バネ４を取付けた状態を示す斜視図である。図８に示すように、吊り部５は、杆状本体５１の一端にＣ型バネ４が遊貫可能なバネ通し孔５２を備え、他端に吊り部５の長さ方向に長いループ部５３を備えて一体成形されている。吊り部５は前述したように合成樹脂製で素材弾力性を有しており、ループ部５３はその形状が変形可能であり、挟み部１が挿通可能な程度の寸法を有している。
【００２９】
本実施の形態の物干し挟みを組み立てる場合は、上述した如く回転体３，３を軸支した両挟持部材２，２を、合わせ部２２ａ，２２ｂにて相互に枢支せしめ（受け片と挿入片とを合わせ）、図１０に示す如く吊り部５を取付けたＣ型バネ４を該空間部２３ｂに挿通させて、Ｃ型バネ４の両端部をバネ受け凹部２２ｄに夫々挿嵌する。このＣ型バネ４により、挟み部１の押圧部が接近する向きに付勢される。上述の如く、吊り部５により掛止されることにより、挟み部１が掛け対象場所に懸吊される。
【００３０】
以上の如き構成の物干し挟みで洗濯物を挟持し、この洗濯物を取り外す際の回転体３の回転状態について以下に説明する。図１１〜図１３は、回転体３，３の位置関係及び回転状態を示す正面図であり、図には回転体３のみを示している。図１１は洗濯物を挟持していない状態での回転体３を、図１２及び図１３は挟持部材２にて挟んだ洗濯物を取り外す際の回転体３の状態を示している。いずれも挟み部１を懸吊した状態での上下方向を図面上での上下方向としている。洗濯物を挟持していない状態では、図１１に示すように、回転体３，３は異なる回転位相で、即ち、対向する羽根部３３の先端部３３ｄを上下方向にずらせた様態にて挟持面３３ｃ，３３ｃを当接させている。当接する羽根部３３の下段の羽根部３３L ，３３L は、同様に先端部３３ｄL を上下方向にずらせ、上側にずれた左側（又は右側）の回転体３の先端部３３ｄL が右側（又は左側）の回転体３の噛み込み空間３４L の開口部分に当接されている。
【００３１】
洗濯物６を押圧部にて挟んだとき、図１２に示すように、対向する羽根部３３の弾圧片３３ｂが洗濯物６を両側から押圧する。このとき弾圧片３３ｂ，３３ｂの先端部３３ｄ，３３ｄは互いに対向側に反っているので洗濯物６を強固に挟持し、洗濯物６の脱落を防止する。また、この羽根部３３，３３の下段の羽根部３３L ，３３L の先端部３３ｄL ，３３ｄL は、その位置を上下にずらせて洗濯物６を挟持しており、特に上側にずれた左側（又は右側）の先端部３３ｄL は、右側（又は左側）の噛み込み空間３４L に洗濯物６を押圧して洗濯物６の脱落を防止している。
【００３２】
洗濯物６を下方向に引っ張った場合には、図１３に示すように、左側の回転体３が時計回りに、右側の回転体３が半時計回りに回転し、洗濯物６を下側に送り出す。先ず、図１２に示した下段の羽根部３３L の先端部３３ｄL が洗濯物６から離れ、次に洗濯物６を挟持していた弾圧片３３ｂの基端側が離れて先端部３３ｄのみで洗濯物６を挟持する。このとき、先端部３３ｄは弾圧片３３ｂの弾性力により軸受け孔３１側に撓み、弾圧片３３ｂは円弧に近い形状となり、これにより回転体３の回転をスムーズにする、即ち洗濯物６の送り出しがスムーズになる。さらに回転体３が回転し、先端部３３ｄが洗濯物６から離れる直前に、上段の羽根部３３U ，３３U が洗濯物６を挟持し、この羽根部３３U ，３３U により洗濯物６は再度挟持される。このとき、羽根部３３U ，３３U は回転体３，３の軸中心を結ぶ中心線よりも上側にて洗濯物６を挟持し、これにより回転体３に回転を阻止する方向の力を付与する。その後、洗濯物６に下向きの力が引き続いて作用しているときには、次に下段となる羽根部３３の先端部３３ｄが洗濯物６から離れ、上述した回転体３の回転動作が繰り返されて洗濯物６が下側に送り出される。
【００３３】
このように、回転体３は、先端部３３ｄが回転体３の中心よりも上側で洗濯物６を挟持しているときは、挟持面３３ｃにて洗濯物６を両側から強固に挟持する。回転体３が回転して先端部３３ｄが中心よりも下側で洗濯物６を挟持しているときは、弾圧片３３ｂが円弧に近い形状に変形し、回転体３の回転がスムーズになる。回転体３の回転に伴い、複数の羽根部３３，３３…が順にこの動作、即ち回転のための変形と挟持面での挟持とを繰り返すので、洗濯物６を引っ張る力の大きさに応じた回転力が回転体３に付与され、その回転力に応じた長さだけ洗濯物６が送り出される。
【００３４】
図１４は、以上の如き構成の物干し挟みの使用状態を示した斜視図である。図に示すように、吊り部５の杆状本体５１を物干し竿７に掛け、ループ部５３に挟み部１を挿通せしめることにより吊り部５を物干し竿７に掛止する。押圧部で洗濯物６を挟持して乾燥させる。洗濯物６を取り込む際には、洗濯物６を引っ張ることにより回転体３が回転し、上述した如く洗濯物６を物干し挟みからスムーズに外すことができ、洗濯物６が損傷することもない。このように、本実施の形態の物干し挟みは、洗濯物６を強固に挟持でき、且つ回転体３をスムーズに回転させて洗濯物６の取込み作業を円滑に行なうことができる。また、洗濯物６を引っ張る力の大きさに応じた回転力で回転体３が回転するので、例えば、乾燥中に洗濯物６が他の洗濯物と衝突するなどして引っ張られ、この小さな引っ張り力により回転体３が回転して不本意に脱落する虞がない。
【００３５】
また、図１５は本発明の物干し挟みを用いた物干し具の構成を示した斜視図である。図１５に示した物干し具は、複数の物干し挟み１０，１０…を吊り枠８に並吊して構成したものであり、一定領域内にて多数の洗濯物を干すことができる。これらの物干し挟み１０は、挟み部を吊り枠８に取付ける吊り部９の構造が異なる以外は、図１に示す物干し挟みと同様であり、対応する部分に対応する符号を付して説明を省略する。この物干し挟み１０，１０…に洗濯物（図示せず）を挟持して乾燥させた後、洗濯物を引っ張って回転体３，３を回転せしめ、洗濯物を物干し挟み１０から取り外す。このような物干し具にあっては、上述した実施の形態と同様の効果を得ることができる。
【００３６】
さらに、上述したように図１に示す物干し挟みは、受け片である第１の合わせ部２２ａに挿入片である第２の合わせ部２２ｂを挿入して挟み部１の略中央で枢支してある。この枢支部分は突起片を溝に挿入した態様であるために、対向する挟持部材２，２は、突起片が溝に沿って移動する方向即ち挟持部材２の長さ方向にずれ移動が可能である。例えば、図１４に示す如く物干し挟みに挟んだ洗濯物６を取り入れる際に、洗濯物６をこれを外す方向と異なる方向に無理矢理引っ張った場合には、回転体３，３の対向位置が上下方向にずれて枢支部分が外れる可能性がある。図１６は、この枢支部分のずれを防止できる構造の物干し挟みを示した斜視図である。
【００３７】
図１６に示すように、挟み部１１は、略中央にて枢支される一対の挟持部材２０，２０と、該挟持部材２０夫々の一端側に軸支された回転体３，３と、挟持部材２０の回転体３を設けた側を接近せしめる向きに付勢するＣ型バネ４とを備えて構成されている。図１７は対をなす挟持部材２０の片方の構造を示す斜視図であり、同構造を有する挟持部材２０が対をなして枢支されるようになっている。
【００３８】
図１６及び図１７に示すように、挟持部材２０の対向側略中央には第１の合わせ部２２ａ及び第２の合わせ部２２ｂが前後方向に並設されている。第２の合わせ部２２ｂの回転体３に近い側には、挟持部材２０の箱底裏面から対向側に向かって突出する略三角片状の止め部２４が設けられている。止め部２４は第２の合わせ部２２ｂと同程度の突出高さを有し、挟持部材２０，２０が枢支された状態で、対向する挟持部材２０の第１の合わせ部２２ａの回転体３を向く側面に沿った形状を有している。その他の構造は図１に示した物干し挟みと同様であり、同部分に同符号を付し、その説明を省略する。
【００３９】
図１８は、このような構造の物干し挟みに挟んだ洗濯物６を取り外す状態を説明する図である。物干し挟みのつまみ部２３ａを操作することなく洗濯物６を下方向に引っ張ることにより回転体３，３が回転し、この回転に伴って洗濯物６が抜き取られる動作及びその効果は図１に示す物干し挟みと同様であり、その説明は省略する。洗濯物６を真下方向ではなく、左方向（又は右方向）に無理矢理引っ張った場合に、左側（又は右側）の挟持部材２０に左（又は右）方向及び下方向への力が付加され、第１及び第２の合わせ部２２ａ，２２ｂの嵌まり寸法が浅くなる。このとき右側（又は左側）の挟持部材２２の止め部２４は、左側（又は右側）の挟持部材２０の第１の合わせ部２２ａ側に突き出ており、左側の第１の合わせ部２２ａに当接してその下方向への移動を阻止する。また、左側（又は右側）の挟持部材２０の上方向への移動は、左側（又は右側）の挟持部材２０が備える止め部２４が右側（又は左側）の挟持部材２０の第２の合わせ部２２ｂに当接することにより阻止される。
【００４０】
このように、挟持部材２０，２０に止め部２４，２４を備えることにより、洗濯物６を取り外す際に生じる虞がある枢支部分のずれを防止することができる。
【００４１】
以上の如き構成の止め部２４は、第２の合わせ部２２ｂの回転体３側に設けた場合を説明しているが、これに限るものではない。例えば、図１９に示すように、第１の合わせ部２２ｂの回転体３側に形成してあっても同様の効果を得ることができる。図１９は対をなす挟持部材２０の片方の構造を示す斜視図である。このとき、止め部２４は図１７と同様の形状を有しており、挟持部材２０，２０が枢支された状態で、対向する挟持部材２０の第２の合わせ部２２ｂの回転体３を向く側面に沿った形状を有する。
【００４２】
また、図２０に示すように、第２の合わせ部２２ｂのつまみ部２３ａ側に形成してあっても良いし、図２１に示すように、第１の合わせ部２２ａのつまみ部２３ａ側に形成してあっても同様の効果を得ることができる。図２０及び図２１は夫々対をなす挟持部材２０の片方の構造を示す斜視図である。このとき、止め部２４は図１７及び図１９と同様の形状を有している。但し、挟持部材２０，２０が枢支された状態で、止め部２４は対向する合わせ部のつまみ部２３ａを向く側面に沿った形状を有している。
【００４３】
さらに、止め部２４は、第１の合わせ部２２ａの回転体３側とつまみ部２３ａ側との両側に夫々形成してあっても良く、さらにまた、止め部２４は第２の合わせ部２２ｂの回転体３側及びつまみ部２３ａ側の両側に形成してあっても同様の効果を得ることができる。
【００４４】
なお、上述した本実施の形態の物干し挟みは、回転体が６枚の羽根部を有する場合を例に挙げて説明しているが、これに限るものではなく、複数の羽根部を有していれば良い。
【００４５】
【発明の効果】
以上のように、本発明においては、挟持部材に枢支された回転体が複数の羽根部を備えているので、該羽根部の挟持弾圧片の弾性力により対象物を強固に挟持でき、且つ取り外す際には回転体をスムーズに回転せしめることが可能である。また、羽根部の先端が外側に反っているので、対象物の挟持をさらに強化できる。さらに、対象物を挟持している羽根部の下段が、その先端で挟持対象物を挟持するので、対象物の挟持をさらに強化できる。さらにまた、吊り部の一端に設けたループ部に挟み部を挿通せしめることにより、例えば物干し竿に簡単に物干し挟みを掛止することができる。さらにまた、このような物干し挟みを枠体に複数取付けることにより、一定領域で多量の対象物を挟持することができ、その取込み作業が短時間にスムーズに行なえる等、本発明は優れた効果を奏する。
【図面の簡単な説明】
【図１】本発明に係る物干し挟みの構成を示す斜視図である。
【図２】図１の正面図である。
【図３】図１の物干し挟みが備える回転体の構成を示す斜視図である。
【図４】図３の正面図である。
【図５】図３の側面図である。
【図６】図１の物干し挟みが備える挟持部材の構成を示す斜視図である。
【図７】図６の挟持部材に回転体を取付けた状態を示す斜視図である。
【図８】本発明の物干し挟みの吊り部の構成を示す斜視図である。
【図９】本発明の物干し挟みのＣ型バネの構成を示す正面図である。
【図１０】吊り部にＣ型バネを取付けた状態を示す斜視図である。
【図１１】回転体の位置関係及び回転状態を示す正面図である。
【図１２】回転体の位置関係及び回転状態を示す正面図である。
【図１３】回転体の位置関係及び回転状態を示す正面図である。
【図１４】本発明の物干し挟みの使用状態を示した斜視図である。
【図１５】本発明の物干し挟みを用いた物干し具の構成を示した斜視図である。
【図１６】本発明に係る他の物干し挟みの構成を示す斜視図である。
【図１７】図１６の物干し挟みが備える挟持部材及び回転体の構成を示す斜視図である。
【図１８】図１６の物干し挟みの使用状態を示した斜視図である。
【図１９】本発明のさらに他の物干し挟みが備える挟持部材及び回転体の構成を示す斜視図である。
【図２０】本発明のさらに他の物干し挟みが備える挟持部材及び回転体の構成を示す斜視図である。
【図２１】本発明のさらに他の物干し挟みが備える挟持部材及び回転体の構成を示す斜視図である。
【図２２】従来の物干し挟みの構成を示す正面図である。
【図２３】従来の物干し挟みの構成を示す正面図である。
【図２４】従来の物干し挟みの構成を示す正面図である。
【符号の説明】
１  挟み部
２  挟持部材
３  回転体
４  Ｃ型バネ
５  吊り部
６  洗濯物
８  吊り枠
１０  物干し挟み
２１  軸支部
２１ａ  軸
２２ｃ  押圧部
２３ａ  つまみ部
２４  止め部
３１  軸受け孔
３２  基体
３３  羽根部
３３ａ  基部
３３ｂ  弾圧片
３３ｃ  挟持面
３３ｄ  先端部
３４  噛み込み空間
５３  ループ部
【図１】
0003637432.tif 000002
【図２】
0003637432.tif 000003
【図３】
0003637432.tif 000004
【図４】
0003637432.tif 000005
【図５】
0003637432.tif 000006
【図６】
0003637432.tif 000007
【図７】
0003637432.tif 000008
【図８】
0003637432.tif 000009
【図９】
0003637432.tif 000010
【図１０】
0003637432.tif 000011
【図１１】
0003637432.tif 000012
【図１２】
0003637432.tif 000013
【図１３】
0003637432.tif 000014
【図１４】
0003637432.tif 000015
【図１５】
0003637432.tif 000016
【図１６】
0003637432.tif 000017
【図１７】
0003637432.tif 000018
【図１８】
0003637432.tif 000019
【図１９】
0003637432.tif 000020
【図２０】
0003637432.tif 000021
【図２１】
0003637432.tif 000022
【図２２】
0003637432.tif 000023
【図２３】
0003637432.tif 000024
【図２４】
0003637432.tif 000025